(57)【特許請求の範囲】
【請求項１】
ほぼ全面にわたって均一に配置された通風用の複数の孔を有する鋼板製の表面板と、
鋼板から作られる裏面板であって、前記表面板に接してこれに固定される接触部および該接触部から下方に突出する補強リブ部を有する裏面板と、
を組み合わせてなる空調用床パネルにおいて、
前記裏面板の前記接触部および前記補強リブ部の双方に通風用の複数の孔が形成されていることを特徴とする、空調用床パネル。
【請求項２】
前記裏面板の孔が、前記表面板の孔よりも大きく形成されている、請求項１に記載の空調用パネル。
【請求項３】
前記補強リブ部が、底壁および側壁からなり、
該側壁は前記接触部に対して鈍角をなす傾斜壁部を含み、
該傾斜壁部は、前記接触部に対する角度をより急峻にされた強化部を局所的に有している、請求項１または２に記載の空調用床パネル。
【請求項４】
前記強化部に隣接した位置にて、前記表面板と前記裏面板の前記接触部とが結合されている、請求項３に記載の空調用床パネル。
【請求項５】
前記表面板の孔が、前記床パネル上に置かれる仕上げ材に形成される通風用の孔であって該表面板の孔に対応する位置に配置されている孔よりも大きく形成されている、請求項１ないし４のいずれかに記載の空調用パネル。
【請求項６】
請求項１ないし５のいずれかに記載の空調用床パネルと、該床パネル用の支持脚とを組み合わせてなる空調用二重床であって、
前記床パネルは、全体として矩形を呈し、４つのコーナー部に四分円状の空所を有しており、
該四分円状の空所は、４枚の床パネルのコーナー部が支持脚上に集合したときに円形開口を形成するようになされており、
前記支持脚は、該支持脚上に集合した各床パネルのコーナー部を支持するための受け台部を備えており、
該受け台部は、前記円形開口と整合する取り付け口を中央部に形成しており、
前記支持脚がさらに、前記取り付け口に取り付けられる円柱状部材を備えており、
該円柱状部材は、前記円形開口にて前記床パネルの前記表面板と同じ高さに上端を位置付けられるよう上方に伸長している、
空調用二重床。
【発明の詳細な説明】
【０００１】
【発明の属する技術分野】
本発明は空調用の床パネルに関する。空調用床パネルには、該パネルの上方の室内空間と下方の床下空間との間の空気の流通を確保するための複数の孔が形成される。空調用床パネルとしては、アルミダイカスト製の一体物のほか、比較的安価な鋼板製のものがある。鋼板製の空調用床パネルは、表面板と、補強のための裏面板とを組み合わせて構成される。表面板は平坦であり、裏面板は、表面板に接してこれに固定される接触部と、該接触部から下方に突出する補強リブ部とを有する。本発明は、かかる鋼板製の空調用床パネルに関する。
【０００２】
【従来の技術】
従来の鋼板製の空調用床パネルにおいては、表面板および裏面板が互いに接している領域のみに有効な通風用の孔（吹き出し口）が形成されていた。すなわち、裏面板側からみれば、接触部のみに孔が形成され、補強リブ部には孔が設けられていなかった。したがって、開口率は低く、空調のための空気の流通は、専ら接触部の領域を通して行われていた。
【０００３】
このように、部分的に吹き出し口を設ける従来の床下空調では、吹き出す空調空気の風圧が強くなり、利用者に不快感を感じさせていた。そのため、床面全面のように、広範囲にわたって空調領域を設け、均一で自然な状態で空調を行うことが求められている。
【０００４】
【発明が解決しようとする課題】
そこで本発明は、鋼板製の空調用床パネルにおいて、ほぼ全面が均一な空調領域となるようにして、自然な状態で快適な空調が効率よく行われるようにすることを課題とする。
【０００５】
【課題を解決するための手段】
上記課題を解決するため、本発明によれば、
ほぼ全面にわたって均一に配置された通風用の複数の孔を有する鋼板製の表面板と、
鋼板から作られる裏面板であって、前記表面板に接してこれに固定される接触部および該接触部から下方に突出する補強リブ部を有する裏面板と、
を組み合わせてなる空調用床パネルにおいて、
前記裏面板の前記接触部および前記補強リブ部の双方に通風用の複数の孔が形成されていることを特徴とする、空調用床パネルが提供される。
【０００６】
前記裏面板の孔は、前記表面板の孔よりも大きく形成されることが望ましい。
【０００７】
前記補強リブ部は、底壁および側壁からなり、
該側壁は前記接触部に対して鈍角をなす傾斜壁部を含み、
該傾斜壁部は、前記接触部に対する角度をより急峻にされた強化部を局所的に有することが望ましい。
【０００８】
前記強化部に隣接した位置にて、前記表面板と前記裏面板の前記接触部とを結合することができる。
【０００９】
前記表面板の孔を、前記床パネル上に置かれる仕上げ材に形成される通風用の孔であって該表面板の孔に対応する位置に配置されている孔よりも大きく形成することが望ましい。
【００１０】
本発明によれば、上述したような空調用床パネルと、該床パネル用の支持脚とを組み合わせてなる空調用二重床であって、
前記床パネルは、全体として矩形を呈し、４つのコーナー部に四分円状の空所を有しており、
該四分円状の空所は、４枚の床パネルのコーナー部が支持脚上に集合したときに円形開口を形成するようになされており、
前記支持脚は、該支持脚上に集合した各床パネルのコーナー部を支持するための受け台部を備えており、
該受け台部は、前記円形開口と整合する取り付け口を中央部に形成しており、
前記支持脚がさらに、前記取り付け口に取り付けられる円柱状部材を備えており、
該円柱状部材は、前記円形開口にて前記床パネルの前記表面板と同じ高さに上端を位置付けられるよう上方に伸長している、
空調用二重床も提供される。
【００１１】
【発明の実施の形態】
図１は本発明による空調用パネルの一実施例の断面図および裏面図、図２は同じく上面図を示す。パネル１は、鋼板製の表面板２および同じく鋼板製の裏面板３とを組み合わせて構成される。表面板２は平坦な形状をしている。一方、裏面板３には、表面板２に接している接触部４と、該接触部４から下方に突出している補強リブ部５とが形成されている。補強リブ部５は、主として周縁補強リブ部５ａおよび対角線補強リブ部５ｂからなるが、これらに比べて突出量の小さい突出部５ｃも含めて補強リブ部５と呼ぶ。裏面板３は、接触部４における適所６にてスポット溶接により表面板２に固定されている。溶接にはレーザを用い、歪みを抑えて製作精度を高めることができる。また、溶接に代え、かしめ加工等の機械締結により結合することもでき、この場合、表面処理鋼板を用いれば塗装等の表面処理の工程を省略できる。
【００１２】
図２に示すように、表面板２には、ほぼ全面にわたって均一に通風用の複数の孔８が形成されている。一方、図１に示すように、裏面板３においては、表面板２に重なった接触部４のみならず、補強リブ部５においても通風用の複数の孔９が形成されている。裏面板３の孔９は、接触部４においてはもちろん、表面板２の孔８と整合する位置に設けられるが、補強リブ部５においても、表面板２の孔８に対応する位置に設けられることが望ましい。
【００１３】
表面板２と裏面板３とを組み合わせるときの組み立て誤差や加工誤差を考慮して、裏面板３の孔９の径を表面板２の孔８の径よりも大きくしておけば、孔どうしのずれにより開口面積が狭められることなく、所望の通気量を確保することができる（図３参照）。
【００１４】
同様の理由により、パネル１上にカーペットのような仕上げ材が置かれる場合、パネル１の表面板２の孔８の径は、該孔８に対応して整合する位置に設けられる仕上げ材の通風用の孔の径よりも大きくされることが望ましい。例えば、５００ｍｍ×５００ｍｍのパネルにおいて、仕上げ材の孔、表面板２の孔８および裏面板３の孔９の径をそれぞれ６ｍｍ、７ｍｍおよび７．２ｍｍとし、縦横２２ｍｍピッチで全面に配置することで望ましい床パネルが得られる。また、裏面板３の孔９においては、接触部４に位置する孔９の径（例えば７．２ｍｍ）よりも、表面板２との間隔がある補強リブ部５の孔９の径の方を大きくする（例えば８ｍｍ）ことがより望ましい。
【００１５】
図３および図４に示すように、裏面板３の補強リブ部５は、底壁１０および側壁１１からなっている。底壁１０は表面板２に平行な平坦形状をしており、裏面板３の孔９は専ら底壁１０に設けられている。補強リブ部５の強度が低下しないよう、側壁１１には孔を設けない。側壁１１は、全体が接触部４に対して鈍角をなした傾斜壁部１２となっている。裏面板３の補強リブ部５は絞り加工により形成されるが、このとき側壁１１が接触部４に対して直角をなすハット形の絞り形状とすることが強度上有利である。しかしながら、かかるハット形の絞り加工を補強リブ部分５全体に施すとなると、技術的にも難しく、したがって加工費も増大する。一方、側壁１１が接触部４に対して鈍角となるような絞り加工は比較的容易であるが、表面板２側からの鉛直荷重を受けて側壁１１に開きが生じる可能性が大きくなり、床パネル１のたわみの原因となる。
【００１６】
そこで、本発明の実施例においては、傾斜壁部１２の互いに間隔をおかれた箇所において、接触部４に対する角度をより急峻にされた強化部１３を局所的に形成した。強化部１３は、接触部４に対してほぼ直角をなし、折り曲げ部の曲率もできるだけ小さくされることが好ましい。また、強化部１３に隣接した接触部４の位置は、表面板２と裏面板３とをスポット溶接するための前記適所６として選択されることが望ましい。このように、ハット形の絞り形状に近い強化部１３を局所的に設け、表面板２側からの鉛直荷重が強化部１３に伝達されるようにすることにより、低費用でたわみの軽減を可能とした。
【００１７】
図５は、本発明による床パネルのもう一つの実施例を示す。この実施例が図１のものと異なる点は、重荷重仕様として、裏面板３の下に補強板１４を取り付けたことにある。補強板１４は、表面板２と同様、全体として平坦であるが、表面板２よりも一回り小さく、４つのコーナー部は斜めに欠いたような形状をしている。補強板１４は、裏面板３の周縁補強リブ部５ａおよび対角線補強リブ部５ｂにビス１５によって固定されている。
【００１８】
補強板１４にも、裏面板３の孔９に対応する位置に通風用の孔１６が形成されている。この孔１６は、裏面板３の孔９よりも大きい径を有することが望ましい。補強板１４にはまた、四隅に近い位置にそれぞれ２個ずつ、調整用の孔１７が追加されている。表面板１に裏面板３を重ね、それに加えて補強板１４を取り付けることにより、それぞれの孔どうしのずれにより開口面積が減少する可能性は増す。調整用の孔１７は、これを補うためのものである。
【００１９】
図６は、図１に示した空調用パネル１とその支持脚１８とを組み合わせてなる空調用二重床の断片断面図である。図１および図２から理解できるように、表面板２および裏面板３の４つのコーナー部には四分円状の空所１９および２０を有している。互いに隣接するように配置された矩形の空調用床パネル１の４つのコーナー部が支持脚１８上に集合すると、空所１９および２０により円形開口２１が形成される。表面板２の空所１９は裏面板３の空所２０よりもやや大きいので、図６に示すように、この円形開口２１は段差のついたものとなる。
【００２０】
一方、支持脚１８は、集合した各床パネル１のコーナー部の周縁補強リブ部５ａの底壁を支持するための受け台部２２と、受け台部２２を支持する支持脚本体２３とを備えている。受け台部２２は、円形開口２１と整合する取り付け口２４を中央部に形成している。
【００２１】
床パネル１側の円形開口２１および支持脚１８側の取り付け口２４は、後述するように、各床パネル１を支持脚１８上に固定するためのパネルロックを取り付けるために利用される。しかしながら、床パネル１が空調用である場合、パネル位置の変更を容易に行うことができるよう床パネル１を非固定式とすることが好ましい一方、パーティション等を取り付けても大丈夫なように床パネル１を固定した方がよいこともある。そこで、いずれの場合にも対応できるよう、円形開口２１および取り付け口２４はパネルロック用として確保される必要がある。
【００２２】
しかしながら、床パネル１を非固定式とする場合、パネルロックを使用しないので、円形開口２１および取り付け口２４は凹所を形成することになる。この凹所をそのままにしておくと、ハイヒールや椅子のキャスターなどが落ち込む可能性がある。これを防止するため、支持脚１８はさらに円柱状部材２５を備えている。円柱状部材２５は、円形開口２１を貫通して取り付け口２４に取り付けられる。
【００２３】
図７に示すように、円柱状部材２５は、上端２６と、下端２７と、これらの間に形成された中間フランジ２８とを備えている。上端２６は、円柱状部材２５が取り付け口２４に取り付けられたとき、円形開口２１にて床パネル１の上面と同じ高さに位置づけられるようになされている。一方、下端２７は、支持脚本体２３に当接するようになされている。さらに中間フランジ２８は、床パネル１のコーナー部下方において受け台部２２上に載置されている。図６では、床パネル１上に仕上げ材としてのカーペット２９が敷かれているが、このカーペット２９の上から円形開口２１の部分に局所的な荷重が加わったとしても、該荷重は受け台部分２２を介して、または直接、下端２７により支持脚本体２３に支持される。
【００２４】
図７に示すように、円柱状部材２５の中間フランジ２８よりも上方の部分の周面には、長手方向のリブ３０が形成されている。このリブ３０は、床パネル１の裏面板３のコーナー部における内周縁と密接して床パネル１の横ずれを防止する役割を果たす。しかしながら、このリブ３０は、パネル位置変更の際に床パネル１を上方へ動かすときに妨げとなるものではない。
【００２５】
また、円柱状部材２５の中間フランジ２８よりも上方の部分には、床パネル１の取り付けおよび取り外しの際に邪魔になる横方向フランジなどは無いので、円柱状部分２５を取り付けたまま、パネル位置の変更が可能である。
【００２６】
図８は、床パネル１を支持脚１８上に固定したい場合の二重床の実施例である。図６における円柱状部材２５の代わりに、支持脚１８がパネルロック３１を備えている。パネルロック３１も円柱状の形態をしているので、床パネル１を固定するときに用いられる円柱状部材と捉えることもできる。パネルロック３１は、拡大頭部３２を上部に有しており、この拡大頭部３２は、段差のある円形開口２１内に納まることができる。パネルロック３１の下部には、複数の横方向突起３３が半径方向対向位置に設けられている。横方向突起３３の上面は、受け台部２２の下面に当接可能とされている。円形開口２１および取り付け口２４には、パネルロック３１の横方向突起３３に対応する大きさの切り欠きが形成されている。該切り欠きに横方向突起３３を通すようにしてパネルロック３１の下部を取り付け口２４の下方に位置づけ、パネルロック３１を所定角度だけ回動させると、床パネル１のコーナー部は、拡大頭部３２によって下方に押圧され、該コーナー部の周縁補強リブ部５ａの底壁が受け台部２２上に押圧されることにより、固定される。パネルロック３１の上端は、円形開口２１にて床パネル１の上面と同じ高さに位置づけられるようになされている。カーペット２９の上から円形開口２１の部分に局所的な荷重が加わったとき、該荷重は周縁補強リブ部５ａから受け台部分２２を介して支持脚本体２３に支持される。
【００２７】
【発明の効果】
本発明によれば、裏面板の接触部だけでなく補強リブ部にも通風用の孔を形成したことにより、床パネルのほぼ全面を均一な空調領域とすることができる。したがって、自然な状態で快適な空調を行うことができる。また、開口率の増大に伴い、空調の効率も格段に向上する。
【図面の簡単な説明】
【図１】（ａ）は本発明による空調用床パネルの一実施例の断面図、（ｂ）は裏面図であり、（ａ）は（ｂ）におけるａ−ａ断面図に相当する。
【図２】図１の実施例の床パネルの上面図。
【図３】表面板に取り付けられた裏面板の接触部を示す断面図。
【図４】表面板に取り付けられた裏面板の補強リブ部を示す斜示図である。
【図５】（ａ）は本発明による空調用床パネルの別の実施例の断面図であり、表面板を下にして示してある。（ｂ）は裏面図であり、（ａ）は（ｂ）におけるａ−ａ断面図に相当する。
【図６】図１に示した空調用パネル１とその支持脚とを組み合わせてなる非固定式の空調用二重床の断片断面図。
【図７】図７の支持脚が備える円柱状部材の拡大側面図。
【図８】図６と同様の図であるが、固定式の空調用二重床を示す断片断面図。
【符号の説明】
１  床パネル、２  表面板、３  裏面板、４  接触部、５  補強リブ部、５ａ  周縁補強リブ部、５ｂ  対角線補強リブ部、５ｃ  突出部、６  溶接用の適所、８  表面板の通風用孔、９  裏面板の通風用孔、１０  底壁、１１  側壁、１２傾斜壁部、１３  強化部、１４  補強板、１５  ビス、１６  補強板の通風用の孔、１７  調整用の孔、１８  支持脚、１９  四分円状の空所、２０  四分円状の空所、２１  円形開口、２２  受け台部、２３  支持脚本体、２４  取り付け口、２５  円柱状部材、２６  上端、２７  下端、２８  中間フランジ、２９カーペット、３０  リブ、３１  パネルロック、３２  拡大頭部、３３  横方向突起。
【図１】
0003870284.tif 000002
【図２】
0003870284.tif 000003
【図３】
0003870284.tif 000004
【図４】
0003870284.tif 000005
【図５】
0003870284.tif 000006
【図６】
0003870284.tif 000007
【図７】
0003870284.tif 000008
【図８】
0003870284.tif 000009